(57)【特許請求の範囲】
【請求項１】
壁部と、前記壁部の上縁部に接続される天井部と、を備え、
前記天井部は、前記壁部の上縁部に沿って設けられる照明装置を有し、
前記壁部の表面には、前記照明装置から離れる程、色の明度が低くなるグラデーション部が設けられることを特徴とする浴室。
【請求項２】
前記照明装置では、透光性の照明カバーが前記壁部の上縁部に設けられ、
前記壁部の壁面に垂直な方向における前記照明カバーの長さは、５０ｃｍ以上であり、且つ前記壁部の壁面に垂直な方向における前記天井部の長さの半分以下であることを特徴とする請求項１に記載の浴室。
【請求項３】
前記天井部は、前記照明装置の照明カバーの下端面と面一に設けられる天井パネルを有することを特徴とする請求項１又は請求項２に記載の浴室。
【請求項４】
複数の前記壁部の全てに前記グラデーション部が設けられることを特徴とする請求項１乃至請求項３のいずれか一項に記載の浴室。
【発明の詳細な説明】
【技術分野】
【０００１】
本発明は、浴室に関する。より詳細には、壁部にグラデーション部を設ける浴室に関する。
【背景技術】
【０００２】
従来、浴室として、壁部と、天井部と、天井部に設けられ上方から光を照射する照明装置と、を備えたものが知られている（例えば特許文献１参照）。
【先行技術文献】
【特許文献】
【０００３】
【特許文献１】特開２００２−１３３９２２号公報
【発明の概要】
【発明が解決しようとする課題】
【０００４】
特許文献１に記載されている発明では、照明装置から照射された上方からの光が浴室内を照らしていた。しかし、光が上方から浴室内を照らすことを強調した構成が壁部に設けられていない。そのため、浴室内にいるユーザーは、壁部を見ても、上方から降り注がれる自然光を浴びているような感覚を浴室内にいながら得ることは不十分であった。
【０００５】
本発明は上記従来の問題点に鑑みて発明したものであって、その目的とするところは、上方から降り注がれる自然光を浴びているような感覚を得ることができる、浴室を提供することを課題とするものである。
【課題を解決するための手段】
【０００６】
上記課題を解決するために、本発明は、以下のような構成とする。
【０００７】
壁部と、前記壁部の上縁部に接続される天井部と、を備え、前記天井部は、前記壁部の上縁部に沿って設けられる照明装置を有し、前記壁部の表面には、前記照明装置から離れる程、色の明度が低くなるグラデーション部が設けられることを特徴とする。
【発明の効果】
【０００８】
本発明の浴室は、グラデーション部により、上方から降り注がれる自然光を浴びているような感覚を浴室内にいながら得ることができる。
【図面の簡単な説明】
【０００９】
【図１】図１は一つの壁パネルにグラデーション部を設けた浴室において、浴室の一部を破断したときの破断図である。
【図２】図２は天井部から照明装置を外した分解斜視図である。
【図３】図３は複数の壁パネルにグラデーション部を設けた浴室において、浴室の一部を破断したときの破断図である。
【発明を実施するための形態】
【００１０】
以下、本発明を添付図面に示す実施形態に基いて説明する。
【００１１】
浴室１は、図１に示すように、洗い場１１と、洗い場１１に隣接する浴槽１２と、を備える。また、浴室１は、洗い場１１と浴槽１２との境界部分以外における、洗い場１１の外周縁と浴槽１２の外周縁から上方に起ち上げて設けられる壁部２を備える。壁部２は、本実施形態では、壁パネル２０で構成されるが、壁部２の構成は特に限定されない。また、浴室１は、複数の壁パネル２０の上縁部に接続される天井部４と、を備える。天井部４は、複数の壁パネル２０により形成される上方への開口を閉塞する。天井部４は、本実施形態では、図１，２に示すように、壁パネル２０の上縁部に沿って設けられる照明装置４１と、照明装置４１以外の部分を構成する天井パネル４２と、を有する。
【００１２】
浴室１は、本実施形態では、床パンである洗い場１１と、浴槽１２と、壁パネル２０と、天井パネル４２を有する天井部と、を備えた浴室ユニットとなっているが、特に限定されるものではない。
【００１３】
照明装置４１には、透光性を有する照明カバー４１ａが取付けられる。照明カバー４１ａは、本実施形態では、平面視略矩形状となり、長手方向と短手方向を有するが、その形状は限定されない。
【００１４】
照明カバー４１ａでは、長手方向に沿った端部における一方側が、壁パネル２０（第一の壁パネル２１とする）の上縁部に取付けられる。そして、照明カバー４１ａでは、長手方向に沿った端部における他方側が、天井パネル４２の第一の壁パネル２１側の端部に取付けられる。
【００１５】
照明カバー４１ａの浴槽１２側の短手方向に沿った一方の端部が、第一の壁パネル２１に隣接する浴槽１２側の壁パネル２０（第二の壁パネル２２とする）の上縁部に取付けられる。そして、照明カバー４１ａの洗い場１１側の短手方向に沿った他方の端部が、第一の壁パネル２１に隣接する洗い場１１側の壁パネル２０（第三の壁パネル２３とする）の上縁部に取付けられる。
【００１６】
また、複数の壁パネル２０は、上記した第一の壁パネル２１と、第二の壁パネル２２と、第三の壁パネル２３と、第一の壁パネル２１に対向する第四の壁パネル２４と、で構成される。第一の壁パネル２１には、本実施形態では、シャワー装置、シャワーフック、小物置き棚、といったものが取付けられているが、特に限定されるものではない。図示はしないが、第四の壁パネル２４には、浴室１に出入りするためのドアが設置される。
【００１７】
照明カバー４１ａでは、短手方向における長さが、５０ｃｍ以上であり、且つ短手方向における天井部４の長さの半分以下であることが好ましい。照明カバー４１ａの短手方向における所定の長さは、５０〜６０ｃｍとなることがより好ましい。照明カバー４１ａの短手方向における長さが上記した範囲内にあると、照明カバー４１ａの部分が天窓のように感じられる。これにより、浴室１内にいるユーザーは開放感を得られる。
【００１８】
照明装置４１では、図２に示すように、天井パネル４２と第一の壁パネル２１と第二の壁パネル２２と第三の壁パネル２３によって形成される開口４３を通して、浴室１内に光を照射する。照明装置４１は、開口４３の周縁に固定される取付枠４１ｂと、取付枠４１ｂの天井パネル４２側の端部に取外し自在に取付けられる照明器具４１ｃと、を有する。
【００１９】
照明器具４１ｃでは、図示はしないが、本実施形態では、基板上に実装された複数のＬＥＤ（Ｌｉｇｈｔ  Ｅｍｉｔｔｉｎｇ  Ｄｉｏｄｅ）からの光が、導光板の端面から入射し、導光板の下面から出射する。そして、導光板の下面から出射した光は、照明カバー４１ａを介して浴室１内を照らす。ここで、導光板の大きさを照明カバー４１ａの大きさとほぼ同じにしておくことにより、照明カバー４１ａの全体が万遍なく光って、浴室１内を照らすことができる。照明器具４１ｃは上記した構成に限定されず、複数のＬＥＤからの光を下方に照射し、照明カバー４１ａを介して浴室１内を照らす構成でもよい。また、ＬＥＤだけではなく、その他の市場に一般に流通している光源が適宜用いられる。
【００２０】
天井パネル４２は、本実施形態では、平面視略矩形状となっているが、その形状は限定されない。天井パネル４２には、点検口４２ａと、浴室乾燥機を取付けるための取付口４２ｂと、が形成される。点検口４２ａは、浴室１から天井裏を点検するための開口である。ユーザーや作業者は、点検口４２ａを介して、照明装置４１や浴室乾燥機の点検やメンテナンスを行うことができる。
【００２１】
照明カバー４１ａの下端面は、天井パネル４２の下端面と面一に設けられることが好ましい。これにより、天井パネル４２と照明器具４１ｃとが一体に形成されているように見え、天井の見栄えが良くなる。
【００２２】
壁パネル２０の表面には、図１に示すように、照明装置４１から離れる程、色の明度が低くなるグラデーション部３が設けられる。グラデーション部３は、少なくとも照明カバー４１ａの長手方向に沿った端部が取付けられる壁パネル２０に設けられる。グラデーション部３は、本実施形態では、第一の壁パネル２１に設けられる。なお、グラデーション部３は、図３に示すように、第一の壁パネル２１、第二の壁パネル２２、第三の壁パネル２３、第四の壁パネル２４、に設けられてもよい。これにより、照明装置４１から照射される光が、上方から降り注ぐことがより強調され、上方から降り注がれる自然光を浴びているような感覚をユーザーがより強く得ることができる。また、グラデーション部３は、第一の壁パネル２１、第二の壁パネル２２、第三の壁パネル２３、に設けられてもよい。
【００２３】
グラデーション部３は、図１に示すように、第一の壁パネル２１の上端から下端まで設けられているが、第一の壁パネル２１の上端から第一の壁パネル２１の約三分の二の高さの位置までのみ設けられてもよい。これにより、グラデーション部３は壁パネル２０の全面の内の約三分の一の面積に設けられる。この程度の面積であったとしても、グラデーション部３として同様の効果を得ることができる。
【００２４】
グラデーション部３は、本実施形態では、系統が同じ色で形成される。その色が、第一の壁パネル２１の上端では明度が高い淡い色となり、下端では明度が低い濃い色となっている。色は、濃淡の差を表し易い紺色系や茶色系の色が好ましいが、黄色等といったものでもよく、浴室１に合わせて選択される。なお、グラデーション部３は、複数の系統の色で形成されてもよい。ここで、複数の系統の色を用いた例として、赤色、青色、黄色を交互に登場させた縦縞模様が考えられる。夫々の縦縞模様の色は、第一の壁パネル２１の上端から下端に行く程、色の明度を下げていく。
【００２５】
グラデーション部３は、本実施形態では、壁パネル２０にインクジェット印刷装置で形成される。このインクジェット印刷装置を用いた方法として、例えば壁パネル２０を一枚ずつインクジェット印刷装置に入れて、グラデーション部３を壁パネル２０に形成する方法が考えられるが、特に限定されるものではない。このとき、金属に近い色で光を反射し易い色である銀色の下地材の上に印刷すると、グラデーションがより明確になり、上方から降り注がれる自然光を浴びているような感覚をユーザーがより強く得ることができる。なお、グラデーション部３の作成方法は、インクジェット印刷装置を用いた方法だけでなく、ロール印刷機を用いた方法や、印刷シートを貼る方法で形成されてもよいが、技術的に困難である。しかし、インクジェット印刷装置を用いた方法では、容易にグラデーション部３を作成することができる。
【００２６】
上記した構成の浴室１では、グラデーション部３が壁パネル２０に形成されることにより、上方から降り注がれる自然光を浴びているような感覚を浴室１内にいながら得ることができる。また、天井部４に照明装置４１を設けることで、天窓が天井にあるような感覚になり、使用者が開放感を感じることができる。
【００２７】
上記した浴室１は、以下のような構成を備える。
【００２８】
浴室１は、壁部２と、壁部２に接続される天井部４と、を備える。天井部４は、壁部２の上縁部に沿って設けられる照明装置４１を有する。壁部２の表面には、照明装置４１から離れる程、色の明度が低くなるグラデーション部３が設けられることを特徴とする。
【００２９】
これにより、上方から降り注がれる自然光を浴びているような感覚を浴室１内にいながら得ることができる。
【００３０】
また、照明装置４１では、透光性の照明カバー４１ａが壁部２の上縁部に設けられる。壁部２の壁面に垂直な方向における照明カバー４１ａの長さは、５０ｃｍ以上であり、且つ壁部２の壁面に垂直な方向における天井部４の長さの半分以下であることが好ましい。
【００３１】
これにより、照明カバー４１ａの部分が天窓のように感じられ、ユーザーは開放感を得ることができる。
【００３２】
また、天井部４は、照明カバー４１ａの下端面と面一に設けられる天井パネル４２を有することが好ましい。
【００３３】
これにより、天井部４の見栄えを良くすることができる。
【００３４】
また、複数の壁パネル２０の全てにグラデーション部３が設けられることが好ましい。
【００３５】
これにより、上方から降り注がれる自然光を浴びているような感覚を強くすることができる。
【符号の説明】
【００３６】
１    浴室
２    壁部
３    グラデーション部
４    天井部
４１  照明装置
４２  天井パネル
【図１】
0006650610.tif 000002
【図２】
0006650610.tif 000003
【図３】
0006650610.tif 000004